(57)【特許請求の範囲】
【請求項１】
読取媒体を撮像する撮像部および前記読取媒体に光を照射する光源を含む、前記読取媒体の鉛直方向上方に設置された光学ユニットと、
物像間距離に対応する光量の補正値に基づいて、読取媒体面の照度が一定になるように調整する光量調整手段と、
を備え、
前記光学ユニットは、
前記読取媒体を読取中に前記撮像部と前記光源とが相互の位置関係が変化することなく回転するように一体として構成されたことを特徴とする、オーバーヘッド型画像読取装置。
【請求項２】
前記光量調整手段は、
前記光源の照度を制御することにより調整することを特徴とする、請求項１に記載のオーバーヘッド型画像読取装置。
【請求項３】
前記光量調整手段は、
前記撮像部の露光時間を制御することにより調整することを特徴とする、請求項１または２に記載のオーバーヘッド型画像読取装置。
【請求項４】
前記光量調整手段は、
１ラインごとに前記物像間距離ごとの光量変化率を算出する光量変化率算出手段と、
前記光量変化率から前記光量の前記補正値を算出する補正値算出手段と、
をさらに備えたことを特徴とする、請求項１から３のいずれか一つに記載のオーバーヘッド型画像読取装置。
【請求項５】
読取媒体を撮像する撮像部および前記読取媒体に光を照射する光源を含む、前記読取媒体の鉛直方向上方に設置された光学ユニットが、前記読取媒体を読取中に前記撮像部と前記光源とが相互の位置関係が変化することなく回転するように一体として構成されたオーバーヘッド型画像読取装置において実行される、
物像間距離に対応する光量の補正値に基づいて、読取媒体面の照度が一定になるように調整する光量調整ステップ、
を含むことを特徴とする、画像処理方法。
【請求項６】
読取媒体を撮像する撮像部および前記読取媒体に光を照射する光源を含む、前記読取媒体の鉛直方向上方に設置された光学ユニットが、前記読取媒体を読取中に前記撮像部と前記光源とが相互の位置関係が変化することなく回転するように一体として構成されたオーバーヘッド型画像読取装置において、
物像間距離に対応する光量の補正値に基づいて、読取媒体面の照度が一定になるように調整する光量調整ステップ、
を実行させるためのプログラム。
【発明の詳細な説明】
【技術分野】
【０００１】
本発明は、オーバーヘッド型画像読取装置、画像処理方法、および、プログラムに関する。
【背景技術】
【０００２】
従来のオーバーヘッド型画像読取装置においては、原稿読取時の明るさを調整できるものがある。
【０００３】
例えば、特許文献１の画像読取装置は、走査位置に応じて光ビームをミラーを用いて変化させ、また、原稿部に設けられた明るさ検出領域による反射光量の検出情報に基づいて明るさを調整する。これにより、当該画像読取装置は、まぶしくない必要以上の明るさを確保している。
【先行技術文献】
【特許文献】
【０００４】
【特許文献１】特開２００１−２８６７１号公報
【発明の概要】
【発明が解決しようとする課題】
【０００５】
しかしながら、従来のオーバーヘッド型画像読取装置（特許文献１等）においては、専用のハードウェア（ミラー、明るさ検出領域）が必要であり、また、物像間距離が変化することにより原稿面で光量が変化し、読取画像に明暗バラツキが発生するという問題点を有していた。
【０００６】
本発明は、上記問題点に鑑みてなされたもので、物像間距離に対応する光量の補正値に基づいて、読取原稿面の照度が一定になるように光量を調整することができるオーバーヘッド型画像読取装置、画像処理方法、および、プログラムを提供することを目的とする。
【課題を解決するための手段】
【０００７】
このような目的を達成するため、本発明のオーバーヘッド型画像読取装置は、撮像部および光源が一体として構成されたオーバーヘッド型画像読取装置であって、物像間距離に対応する光量の補正値に基づいて、読取媒体面の照度が一定になるように調整する光量調整手段、を備えたことを特徴とする。
【０００８】
また、本発明のオーバーヘッド型画像読取装置は、前記記載のオーバーヘッド型画像読取装置において、前記光量調整手段は、前記光源の照度を制御することにより調整することを特徴とする。
【０００９】
また、本発明のオーバーヘッド型画像読取装置は、前記記載のオーバーヘッド型画像読取装置において、前記光量調整手段は、前記撮像部の露光時間を制御することにより調整することを特徴とする。
【００１０】
また、本発明のオーバーヘッド型画像読取装置は、前記記載のオーバーヘッド型画像読取装置において、前記光量調整手段は、１ラインごとに前記物像間距離ごとの光量変化率を算出する光量変化率算出手段と、前記光量変化率から前記光量の前記補正値を算出する補正値算出手段と、をさらに備えたことを特徴とする。
【００１１】
また、本発明の画像処理方法は、撮像部および光源が一体として構成されたオーバーヘッド型画像読取装置において実行される、物像間距離に対応する光量の補正値に基づいて、読取媒体面の照度が一定になるように調整する光量調整ステップ、を含むことを特徴とする。
【００１２】
また、本発明のプログラムは、撮像部および光源が一体として構成されたオーバーヘッド型画像読取装置において、物像間距離に対応する光量の補正値に基づいて、読取媒体面の照度が一定になるように調整する光量調整ステップ、を実行させることを特徴とする。
【発明の効果】
【００１３】
この発明によれば、物像間距離に対応する光量の補正値に基づいて、読取媒体面の照度が一定になるように調整するので、物像間距離が変化することにより原稿面で光量が変化し、画像に明暗バラツキが発生することを抑制することができるという効果を奏する。
【００１４】
また、この発明によれば、光源の照度を制御することにより読取媒体面の照度が一定になるように調整するので、原稿面での光量が一定となるように光量を調節することができるという効果を奏する。
【００１５】
また、この発明によれば、撮像部の露光時間を制御することにより読取媒体面の照度が一定になるように調整するので、光源の照度変更ができない場合でも明暗バラツキの無い画像を取得することができるという効果を奏する。
【００１６】
また、この発明によれば、１ラインごとに物像間距離ごとの光量変化率を算出し、光量変化率から光量の補正値を算出するので、物像間距離別の光量情報を算出し、それに応じて光量を変動させることができるという効果を奏する。
【図面の簡単な説明】
【００１７】
【図１】図１は、本実施形態に係るオーバーヘッド型画像読取装置を示す図である。
【図２】図２は、本実施形態に係るオーバーヘッド型画像読取装置の斜視図である。
【図３】図３は、本実施形態における制御ユニットの構成の一例を示すブロック図である。
【図４】図４は、本実施形態におけるオーバーヘッド型画像読取装置の処理の一例を示すフローチャートである。
【図５】図５は、本実施形態におけるオーバーヘッド型画像読取装置の処理の一例を示すフローチャートである。
【図６】図６は、本実施形態における読取対象ラインと当該読取対象ラインに対応する照度の値とを対応づけたテーブルの一例を示す図である。
【図７】図７は、本実施形態における物像間距離と照度との関係の一例を示す図である。
【図８】図８は、本実施形態における物像間距離と照度との関係の一例を示す図である。
【図９】図９は、本実施形態におけるオーバーヘッド型画像読取装置の処理の一例を示すフローチャートである。
【図１０】図１０は、本実施形態における読取対象ラインと当該読取対象ラインに対応する露光時間の値とを対応づけたテーブルの一例を示す図である。
【発明を実施するための形態】
【００１８】
以下に、本発明にかかるオーバーヘッド型画像読取装置、画像処理方法、および、プログラムの実施形態を図面に基づいて詳細に説明する。なお、この実施形態によりこの発明が限定されるものではない。
【００１９】
［オーバーヘッド型画像読取装置１の構成］
まず、本オーバーヘッド型画像読取装置１の構成について図１乃至図３を参照して説明する。図１は、本実施形態に係るオーバーヘッド型画像読取装置１を示す図であり、回転軸Ａと直交する断面図が示されている。図２は、本実施形態に係るオーバーヘッド型画像読取装置１の斜視図である。図３は、本実施形態における制御ユニット３０の構成の一例を示すブロック図であり、該構成のうち本発明に関係する部分のみを概念的に示している。
【００２０】
図１および図２に示すオーバーヘッド型画像読取装置１は、ミラーを経由せず直接光を受光する、読取センサ（イメージセンサ）等の撮像部２２および光源２１が一体型として構成されるオーバーヘッド型スキャナであり、本体１０と光学ユニット２０と制御ユニット３０とを有する。ここで、制御ユニット３０は、本体１０内部に備えられていてもよく、光学ユニット２０内部に備えられていてもよく、オーバーヘッド型画像読取装置１の外部に備えられていてもよい。オーバーヘッド型画像読取装置１は、光学ユニット２０の鉛直方向下方の載置面２に載置された読取原稿等の読取媒体Ｓの画像を読み取ることができる。載置面２は、例えば、机の上面等の平面である。本実施形態では、オーバーヘッド型画像読取装置１が載置面２と同一面上に載置される場合を例に説明するが、これに限定されるものではない。オーバーヘッド型画像読取装置１が載置される箇所と、読取媒体Ｓが載置される載置面２とは異なっていてもよい。一例として、オーバーヘッド型画像読取装置１は、載置面２を有する載置台を備えていてもよい。
【００２１】
本体１０は、台座部１１、支柱部１２およびカバー部１３を有する。台座部１１は、載置面２等に載置されて本体１０全体を支持するものであり、本体１０の基部である。オーバーヘッド型画像読取装置１の電源スイッチや画像読取開始スイッチ等の操作部材は、例えば台座部１１に配置される。台座部１１は、例えば、扁平な形状とされており、その下面が載置面２と互いに対向するようにして設置される。本実施形態の台座部１１は、扁平な直方体あるいはこれと同様や類似の形状を有しており、幅方向（後述する主走査方向）の長さおよび奥行方向（後述する副走査方向）の長さのいずれよりも鉛直方向の長さが小さい。また、台座部１１における幅方向の長さは、奥行方向の長さよりも大きくされてもよい。
【００２２】
読取媒体Ｓは、読取対象であって、台座部１１の側方の４面の内の１つの面である前面１１ａに読取媒体Ｓの一辺を突き当てるようにして載置される。つまり、読取媒体Ｓは、一辺が前面１１ａと平行となるようにして載置面２に載置される。本実施形態においては、矩形の読取媒体Ｓの一辺を前面１１ａに突き当てるようにして載置したときの読取媒体Ｓにおける前面１１ａ側の一辺と平行な方向を「幅方向」と記載する。また、読取媒体Ｓにおける前面１１ａ側の一辺と直交する辺に平行な方向を「奥行方向」と記載する。つまり、奥行方向とは、ユーザが読取媒体Ｓを挟んでオーバーヘッド型画像読取装置１と対向しているときのユーザとオーバーヘッド型画像読取装置１とが向かい合う方向である。奥行方向においてユーザが読取媒体Ｓを挟んでオーバーヘッド型画像読取装置１と向かい合う状態においてユーザに近い側を「手前側」と記載し、ユーザから遠い側を「奥側」と記載する。
【００２３】
支柱部１２は、台座部１１と接続されており、台座部１１から鉛直方向上方に向けて延在している。支柱部１２は、例えば、断面矩形の柱状もしくは煙突状に形成されている。支柱部１２の下部は、鉛直方向下側へ向かうに従い断面積が拡大するテーパ形状に形成されている。支柱部１２は、台座部１１の上面における１辺側に接続されている。具体的には、支柱部１２は、台座部１１の上面の縁を形成する４辺のうち読取媒体Ｓが配置される側と反対側の１辺側に接続されている。言い換えると、支柱部１２は、台座部１１における読取媒体Ｓから遠い奥側の端部に接続されている。また、支柱部１２は、台座部１１における幅方向の中央部に接続されている。
【００２４】
カバー部１３は、光学ユニット２０を回動可能に支持するものであり、光学ユニット２０を内部に収納することもできる。カバー部１３は、光学ユニット２０を鉛直方向上方から覆っている。カバー部１３は、例えば、下面に形成された凹部を有し、この凹部に光学ユニット２０を収納することができる。カバー部１３は、支柱部１２の鉛直方向上側の端部と接続されている。カバー部１３は、支柱部１２から奥行方向の手前側および幅方向の両側へ突出している。すなわち、カバー部１３は、支柱部１２から読取媒体Ｓが載置される側へ向けて張り出しており、かつ支柱部１２から幅方向の両側に張り出している。
【００２５】
オーバーヘッド型画像読取装置１において、台座部１１とカバー部１３とは鉛直方向において互いに対向しており、両者における奥行方向の読取媒体Ｓ側と反対側の端部同士が支柱部１２によって接続されている。また、カバー部１３は、台座部１１よりも奥行方向の手前側に張り出している。つまり、カバー部１３の少なくとも一部は、読取媒体Ｓが台座部１１に突き当てるようにして載置面２に載置されると、その読取媒体Ｓと鉛直方向において互いに対向する。
【００２６】
光学ユニット２０は、本体１０に対して回転軸Ａ周りに回転することができる。回転軸Ａは、幅方向に延在している。つまり、回転軸Ａは、前面１１ａと平行である。光学ユニット２０は、カバー部１３によって回転軸Ａ周りに回動可能に支持されている。また、カバー部１３内には、図示しない駆動部が配置されている。駆動部は、光学ユニット２０を回転軸Ａ周りに回転させるものである。駆動部は、例えば、電動式のモータと、モータの回転軸と光学ユニット２０とを接続するギア部とを有する。モータは、例えば、ステッピングモータであり、光学ユニット２０の回転角度を精度良く制御することができる。また、ギア部は、例えば、複数のギアの組合せからなり、モータの回転を減速して光学ユニット２０に伝達する。
【００２７】
光学ユニット２０は、光源２１および撮像部２２を含み、読取媒体Ｓの読取中に光源２１の光軸と読取媒体Ｓとのなす角度が変動する。光源２１は、読取光源であって、ＬＥＤ等の発光部を有しており、鉛直方向上方から読取媒体Ｓに光を照射することができる。光源２１は、例えば、主走査方向に沿って複数のＬＥＤが直線上に配置されたものであってもよい。光源２１は、読取媒体Ｓにおける読取対象ライン上の画像、すなわち読取画像に対して光を照射する。撮像部２２は、例えば、ＣＣＤ（Ｃｈａｒｇｅ  Ｃｏｕｐｌｅｄ  Ｄｅｖｉｃｅ）を有するイメージセンサであり、載置面２に載置された読取媒体Ｓを撮像することができる。具体的には、撮像部２２は、読取対象ライン上の読取画像によって反射されて撮像部２２に入射された反射光を光電変換により電子データに変換して読取画像の画像データを生成する。
【００２８】
回転軸Ａと直交する半径方向において、光源２１は、撮像部２２よりも外側に配置されている。光源２１の光軸は、回転軸Ａと直交する方向である。また、撮像部２２の光軸は、回転軸Ａの軸方向視において光源２１の光軸と同軸上にある。つまり、撮像部２２には、回転軸Ａの軸方向視において回転軸Ａと直交する方向の光が入射し、この入射光がレンズを介して撮像部２２の受光面に結像する。
【００２９】
撮像部２２は、画像を読み取る複数の画素が主走査方向に配列されたラインセンサである。撮像部２２は、主走査方向が回転軸Ａと平行な状態で光学ユニット２０に配置されている。各画素は、レンズによって受光面に結像した読取画像の光を受光し、受光した光に対応する電気信号を出力する。撮像部２２は、読取媒体Ｓの読取対象ライン上の画像を読み取り、主走査方向のライン画像データを生成することができる。なお、撮像部２２のラインセンサのライン数は、単数であっても複数であってもよい。
【００３０】
オーバーヘッド型画像読取装置１は、光学ユニット２０の回転軸Ａ周りの回転位置を調節することにより、読取媒体Ｓ上における副走査方向の任意の位置の読取対象ラインの画像を取得することができる。オーバーヘッド型画像読取装置１は、ライン画像データの取得と、光学ユニット２０を回転させることによる読取対象ラインの位置調整とを繰り返すことで、読取媒体Ｓ全体の画像データを取得することができる。つまり、オーバーヘッド型画像読取装置１は、光源２１の照射光が原稿面上を副走査方向に走査し、かつ光が照射されている読取対象ラインの画像を撮像部２２が読み取ることによって読取媒体Ｓの画像を生成する。オーバーヘッド型画像読取装置１は、例えば、奥行方向の奥側から手前側へ順次読取対象ラインの位置を移動させながら各読取対象ラインのライン画像を読み取ることで、読取媒体Ｓの２次元画像データを生成する。
【００３１】
本実施形態に係るオーバーヘッド型画像読取装置１の光学ユニット２０では、回転軸Ａの軸方向視において、光源２１の光軸と撮像部２２の光軸とが同軸上にある。光源２１および撮像部２２は、光学ユニット２０内においてそれぞれ位置が固定されており、相互の位置関係が変化することなく、光学ユニット２０の回転に伴って回転軸Ａ周りに回転する。つまり、光源２１と撮像部２２とが互いに独立して駆動制御される場合や、光源２１と撮像部２２に光を導く反射部材とが独立して駆動制御される場合とは異なり、光源２１の照射対象位置と撮像部２２の撮像対象位置とのずれが生じることが抑制される。従って、光源２１は、撮像部２２の撮像対象である読取対象ラインに対して位置精度よく光を照射することができる。例えば、光学ユニット２０の回転位置にかかわらず、副走査方向における読取対象ラインの中心と光源２１から照射される光の照射幅の中心とを一致させておくことが可能である。よって、本実施形態のオーバーヘッド型画像読取装置１によれば、光量ムラの発生等が抑制され、生成される画質が向上する。
【００３２】
また、光源２１の照射光と撮像部２２の撮像対象位置とのずれの発生が抑制されていることから、光源２１の副走査方向の照射幅を狭くし、読取対象ラインに対して光量を集中させることができる。よって、本実施形態のオーバーヘッド型画像読取装置１は、高解像度で読取媒体Ｓを読み取ることや高速で読取媒体Ｓを読み取ることが可能である。
【００３３】
制御ユニット３０は、概略的に、制御部３０２と記憶部３０６とを備える。ここで、制御部３０２は、オーバーヘッド型画像読取装置１の全体を統括的に制御するＣＰＵ等である。また、記憶部３０６は、各種のデータベースやテーブルなどを格納する装置である。これらオーバーヘッド型画像読取装置１の各部は任意の通信路を介して通信可能に接続されている。また、光学ユニット２０は、入出力制御インターフェース部を介して制御部３０２等に接続されていてもよい。また、オーバーヘッド型画像読取装置１は、ルータ等の通信装置および専用線等の有線または無線の通信回線を介して、ネットワークに通信可能に接続されていてもよい。
【００３４】
記憶部３０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースおよびテーブルを格納する。例えば、記憶部３０６は、各種処理に用いる各種のプログラム、および、ファイル等を格納してもよい。また、記憶部３０６は、生成した画像データを格納してもよい。また、記憶部３０６は、回転軸Ａと撮像部２２の像面（例えば、センサ面等）との間の距離、および、撮像部２２と光源２１との間の距離等のオーバーヘッド型画像読取装置１の仕様情報を記憶していてもよい。
【００３５】
制御部３０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部３０２は、これらのプログラム等により、種々の処理を実行するための情報処理を行う。制御部３０２は、機能概念的に、変動値取得部３０２ａ、および、光量調整部３０２ｂを備える。
【００３６】
このうち、変動値取得部３０２ａは、高さ、距離、または、角度の変動値を含む値を取得（検出）する高さ検出手段を含む変動値取得手段である。ここで、変動値取得部３０２ａは、回転軸Ａと載置面２または読取媒体Ｓとの間の距離である、回転支点の高さｈを算出してもよい。また、変動値取得部３０２ａは、読取媒体Ｓの主走査方向の読取範囲Ｘ、主走査方向の読取位置である主走査位置ｘ、副走査方向の読取範囲Ｙ、および、副走査方向の読取位置である副走査位置ｙを取得してもよい。また、変動値取得部３０２ａは、１ラインごとの光路長である、撮像部２２と読取媒体Ｓとの距離である物像間距離Ｌを算出してもよい。ここで、変動値取得部３０２ａは、副走査位置ｙ、回転軸Ａと読取媒体Ｓとの間の距離である回転支点の高さｈ、および、回転軸Ａと撮像部２２の像面との間の距離ｂに基づき、物像間距離Ｌを算出してもよい。また、変動値取得部３０２ａは、撮像部２２における読取解像度Ｒを取得してもよい。また、変動値取得部３０２ａは、算出した副走査方向の読取範囲Ｙに基づき、読取対象ライン数αを算出してもよい。ここで、変動値取得部３０２ａは、読取範囲Ｙ、および、読取解像度Ｒに基づき、読取対象ライン数αを算出してもよい。
【００３７】
また、光量調整部３０２ｂは、物像間距離Ｌに対応する光量の補正値に基づいて、読取媒体Ｓ面の照度が一定になるように調整する光量調整手段である。ここで、光量調整部３０２ｂは、光源２１の照度を制御することにより、読取媒体Ｓ面の照度が一定になるように調整してもよい。また、光量調整部３０２ｂは、撮像部２２の露光時間を制御することにより、読取媒体Ｓ面の照度が一定になるように調整してもよい。また、光量調整部３０２ｂは、変動値取得部３０２ａにより取得された高さの変動値に基づき、読取媒体Ｓ面の照度が一定になるように調整してもよい。
【００３８】
ここで、光量調整部３０２ｂは、図３に示すように、光量変化率算出部３０２ｃ、および、補正値算出部３０２ｄを少なくとも備える。光量変化率算出部３０２ｃは、１ラインごとに物像間距離Ｌごとの光量変化率を算出する光量変化率算出手段である。補正値算出部３０２ｄは、光量変化率から光量の補正値を算出する補正値算出手段である。ここで、補正値は、パラメータ補正値であってもよい。
【００３９】
以上で、本オーバーヘッド型画像読取装置１の構成の説明を終える。
【００４０】
［オーバーヘッド型画像読取装置１の処理］
次に、このように構成された本実施形態におけるオーバーヘッド型画像読取装置１の処理の一例について、以下に図４乃至図１０を参照して詳細に説明する。
【００４１】
［本発明の実施形態の概要］
まず、図４を参照して、本発明の実施形態の概要について説明する。図４は、本実施形態におけるオーバーヘッド型画像読取装置１の処理の一例を示すフローチャートである。
【００４２】
本実施形態は、概略的に、以下の基本的特徴を有する。すなわち、光量調整部３０２ｂは、図４に示すように、物像間距離Ｌに対応する光量の補正値に基づいて、読取媒体Ｓ面の照度が一定になるように調整する（ステップＳＡ−１）。すなわち、光量調整部３０２ｂは、物像間距離別の光量補正値情報を用い、それに応じて光量を変化させる。
【００４３】
そして、制御部３０２は、読取媒体Ｓの読取対象ライン上の画像を撮像部２２に読み取らせ（ステップＳＡ−２）、処理を終了する。
【００４４】
以上で、本発明の実施形態の概要の説明を終える。
【００４５】
［画像読取処理］
次に、図５乃至図１０を参照して、本実施形態における画像読取処理の一例について説明する。
【００４６】
［画像読取処理（その１）］
まず、図５乃至図８を参照して、本実施形態における画像読取処理の一例について説明する。図５は、本実施形態におけるオーバーヘッド型画像読取装置１の処理の一例を示すフローチャートである。
【００４７】
図５に示すように、制御部３０２は、撮像部２２の撮像対象である読取対象ラインが読取媒体Ｓの一番端となるように光学ユニット２０を制御する（ステップＳＢ−１）。
【００４８】
そして、光量変化率算出部３０２ｃは、読取対象ライン１ラインごとに物像間距離Ｌごとの光量変化率を算出する。そして、補正値算出部３０２ｄは、光量変化率算出部３０２ｃにより算出された光量変化率から光量のパラメータ補正値を算出する。そして、光量調整部３０２ｂは、補正値算出部３０２ｄにより算出されたパラメータ補正値に基づき補正情報を作成し、当該補正情報に基づき１ラインごとの光源２１の照度の値を設定し、光源２１の照度を制御することにより、読取媒体Ｓ面の照度が一定になるように調整する（ステップＳＢ−２）。ここで、光量調整部３０２ｂは、更に、変動値取得部３０２ａにより取得された高さの変動値に基づき、読取媒体Ｓ面の照度が一定になるように調整してもよい。すなわち、光量調整部３０２ｂは、高さの変化による読取媒体Ｓ面の照度の変化に対しても読取方向の光量を調整することにより、読取媒体Ｓ面の照度が一定になるように調整してもよい。また、光量調整部３０２ｂは、撮像部２２による画像読取前に各読取対象ラインに対応する照度の値を算出し、読取対象ラインと当該読取対象ラインに対応する照度の値とを対応づけたテーブルを生成してもよい。また、パラメータ補正値は、以下の式により算出されてもよい。
パラメータ補正値＝（あるライン位置での光量変化率／最遠方部ラインの光量変化率）×補正ステップ
ここで、補正ステップは、ＳＨ周期であってもよい。
また、補正情報は、以下の式により算出され作成されてもよい。
補正情報＝（あるライン位置でのパラメータ補正値／最遠方部ラインのパラメータ補正値）
【００４９】
ここで、図６を参照して、本実施形態における読取対象ラインと当該読取対象ラインに対応する照度の値とを対応づけたテーブルの一例について説明する。図６は、本実施形態における読取対象ラインと当該読取対象ラインに対応する照度の値とを対応づけたテーブルの一例を示す図である。
【００５０】
図６に示すように、読取対象ラインと当該読取対象ラインに対応する照度の値とを対応づけたテーブルには、変動値取得部３０２ａにより読取媒体Ｓの副走査方向の読取範囲Ｙ、および、撮像部２２における読取解像度Ｒに基づいて算出された、撮像部２２による読取媒体Ｓの読取対象ライン数αに基づく読取対象ライン（１、２、３、および、α）と照度の値（Ａ、Ｂ、Ｃ、および、Ｚ）とが対応付けて格納されている。このようなテーブルを生成しておくことで、例えば、光量変化率算出処理と画像読取処理との分離、および、同一種類の読取媒体Ｓを繰り返し読み取る際等に処理の高速化等ができる。
【００５１】
また、図７および図８を参照して、本実施形態における照度設定処理の一例について説明する。図７および図８は、本実施形態における物像間距離Ｌと照度との関係の一例を示す図である。
【００５２】
図７に示すように、光源（照明）２１が一定の照度で読取媒体Ｓに光を照射している場合、読取媒体Ｓ面の照度は、グラフ中の実線のように物像間距離（紙面距離）Ｌが大きくなるに従って小さくなる。そこで、図７のグラフ中の点線のように（例えば、読取媒体Ｓ面の照度の値と反比例するように等）照明２１の点灯周期を変更することで、図８に示すように、読取媒体Ｓ面の照度は、グラフ中の実線のように物像間距離Ｌに関係なく一定となる。
【００５３】
図５に戻り、制御部３０２は、光量調整部３０２ｂによる調整に基づき、読取媒体Ｓの読取対象ライン上の画像を撮像部２２に読み取らせる（ステップＳＢ−３）。
【００５４】
そして、制御部３０２は、読取媒体Ｓの読取対象ラインが１ライン変更されるように光学ユニット２０を制御する（ステップＳＢ−４）。
【００５５】
そして、制御部３０２は、変動値取得部３０２ａにより算出された読取媒体Ｓの読取対象ライン数αに基づき、撮像部２２によりα本全ての読取対象ライン上の画像の読み取りが完了したか否か判定する（ステップＳＢ−５）。
【００５６】
そして、制御部３０２は、ステップＳＢ−５にて画像の読み取りが完了していないと判定した場合（ステップＳＢ−５：Ｎｏ）、処理をステップＳＢ−２に移行させ、ステップＳＢ−５にて画像の読み取りが完了したと判定した場合（ステップＳＢ−５：Ｙｅｓ）、処理を終了する。
【００５７】
以上で、本実施形態における画像読取処理（その１）の説明を終える。
【００５８】
［画像読取処理（その２）］
更に、図９を参照して、本実施形態における画像読取処理の一例について説明する。図９は、本実施形態におけるオーバーヘッド型画像読取装置１の処理の一例を示すフローチャートである。
【００５９】
まず、図９に示す画像読取処理（その２）におけるステップＳＣ−１の処理は、図５に示す画像読取処理（その１）におけるステップＳＢ−１の処理と同様であるため説明を省略する。
【００６０】
そして、光量変化率算出部３０２ｃは、読取対象ライン１ラインごとに物像間距離Ｌごとの光量変化率を算出する。そして、補正値算出部３０２ｄは、光量変化率算出部３０２ｃにより算出された光量変化率から光量のパラメータ補正値を算出する。そして、光量調整部３０２ｂは、補正値算出部３０２ｄにより算出されたパラメータ補正値に基づき補正情報を作成し、当該補正情報に基づき１ラインごとの撮像部２２の露光時間の値を設定し、撮像部２２の露光時間を制御することにより、読取媒体Ｓ面の照度が一定になるように調整する（ステップＳＣ−２）。ここで、光量調整部３０２ｂは、更に、変動値取得部３０２ａにより取得された高さの変動値に基づき、読取媒体Ｓ面の照度が一定になるように調整してもよい。また、光量調整部３０２ｂは、撮像部２２による画像読取前に各読取対象ラインに対応する露光時間の値を算出し、読取対象ラインと当該読取対象ラインに対応する露光時間の値とを対応づけたテーブルを生成してもよい。
【００６１】
ここで、図１０を参照して、本実施形態における読取対象ラインと当該読取対象ラインに対応する露光時間の値とを対応づけたテーブルの一例について説明する。図１０は、本実施形態における読取対象ラインと当該読取対象ラインに対応する露光時間の値とを対応づけたテーブルの一例を示す図である。
【００６２】
図１０に示すように、読取対象ラインと当該読取対象ラインに対応する露光時間の値とを対応づけたテーブルには、変動値取得部３０２ａにより算出された読取媒体Ｓの読取対象ライン数αに基づく読取対象ライン（１、２、３、および、α）と露光時間の値（００１、００２、００３、および、９９９）とが対応付けて格納されている。このようなテーブルを生成しておくことで、例えば、光量変化率算出処理と画像読取処理との分離、および、同一種類の読取媒体Ｓを繰り返し読み取る際等に処理の高速化等ができる。
【００６３】
ここで、図９に示す画像読取処理（その２）におけるステップＳＣ−３乃至ステップＳＣ−５の処理は、図５に示す画像読取処理（その１）におけるステップＳＢ−３乃至ステップＳＢ−５の処理と同様であるため説明を省略する。
【００６４】
以上で、本実施形態におけるオーバーヘッド型画像読取装置１の処理の説明を終える。
【００６５】
［他の実施形態］
さて、これまで本発明の実施形態について説明したが、本発明は、上述した実施形態以外にも、特許請求の範囲に記載した技術的思想の範囲内において種々の異なる実施形態にて実施されてよいものである。
【００６６】
例えば、オーバーヘッド型画像読取装置１がスタンドアローンの形態で処理を行う場合を一例に説明したが、オーバーヘッド型画像読取装置１は、ＰＣ等の外部機器とネットワークを介して接続可能であり、本発明の方法を実現させるソフトウェア（プログラム、データ等を含む）が実装された当該外部機器からの要求に応じて制御され動作してもよい。また、オーバーヘッド型画像読取装置は、生成した画像データを含む処理結果を外部機器に出力する機能を有していてもよい。
【００６７】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００６９】
また、オーバーヘッド型画像読取装置１に関して、図示の各構成要素は機能概念的なものであり、必ずしも物理的に図示の如く構成されていることを要しない。
【００７０】
例えば、オーバーヘッド型画像読取装置１の各装置が備える処理機能、特に制御部３０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じてオーバーヘッド型画像読取装置１に機械的に読み取られる。すなわち、ＲＯＭまたはＨＤＤ（Ｈａｒｄ  Ｄｉｓｋ  Ｄｒｉｖｅ）などの記憶部３０６などには、各種処理を行うためのコンピュータプログラムが記録されている。このコンピュータプログラムは、ＲＡＭにロードされることによって実行され、ＣＰＵと協働して制御部を構成する。
【００７１】
また、このコンピュータプログラムは、オーバーヘッド型画像読取装置１に対して任意のネットワークを介して接続されたアプリケーションプログラムサーバに記憶されていてもよく、必要に応じてその全部または一部をダウンロードすることも可能である。
【００７２】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【００７３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施形態に示した各装置において記録媒体を読み取るための具体的な構成、読み取り手順、あるいは、読み取り後のインストール手順等については、周知の構成や手順を用いることができる。
【００７４】
記憶部３０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７５】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７６】
以上詳述に説明したように、本発明によれば、物像間距離に対応する光量の補正値に基づいて、読取原稿面の照度が一定になるように光量を調整することができるオーバーヘッド型画像読取装置、画像処理方法、および、プログラムを提供することができ、画像処理などの様々な分野において極めて有用である。
【符号の説明】
【００７７】
１  オーバーヘッド型画像読取装置
２  載置面
１０  本体
１１  台座部
１２  支柱部
１３  カバー部
２０  光学ユニット
２１  光源
２２  撮像部
３０  制御ユニット
３０２  制御部
３０２ａ  変動値取得部
３０２ｂ  光量調整部
３０２ｃ  光量変化率算出部
３０２ｄ  補正値算出部
３０６  記憶部
Ａ  回転軸
Ｓ  読取媒体
【図１】
0005723688.tif 000002
【図２】
0005723688.tif 000003
【図３】
0005723688.tif 000004
【図４】
0005723688.tif 000005
【図５】
0005723688.tif 000006
【図６】
0005723688.tif 000007
【図７】
0005723688.tif 000008
【図８】
0005723688.tif 000009
【図９】
0005723688.tif 000010
【図１０】
0005723688.tif 000011